(57)【要約】【課題】紙パック外れを防止することが可能な掃除機を提供する。【解決手段】掃除機１は、ケーシング２ａと、ケーシング２ａに設けられた吸引口２１と、ケーシング２ａ内に設けられたファンモータ１１と、ケーシング２ａ内に設けられ、ファンモータ１１と連通する集塵部２０と、集塵部２０に設けられる紙パックホルダ２３と、紙パックホルダ２３との間で紙パックＰを保持する紙パック取付用クリップ２３ｄと、集塵部２０の内側から内方に向かって突出するよう形成され、紙パック取付用クリップ２３ｄを抑え込むクリップ抑え用リブ２９ａ，２９ｂ，２９ｃと、を備える。【選択図】図７
2019088947.tif 000002
【特許請求の範囲】
【請求項１】
ケーシングと、
前記ケーシングに設けられた吸引口と、
前記ケーシング内に設けられたファンモータと、
前記ケーシング内に設けられ、前記ファンモータと連通する集塵部と、
前記集塵部に設けられる集塵ホルダと、
前記集塵ホルダとの間で集塵袋を保持する集塵袋保持部と、
前記集塵部の内側から内方に向かって突出するよう形成され、前記集塵袋保持部を抑え込む抑え部と、を備える掃除機。
【請求項２】
前記集塵ホルダは、中空の筒部を有し、
前記集塵袋保持部は、前記筒部に沿って前記集塵ホルダに設けられる
請求項１に記載の掃除機。
【請求項３】
前記集塵袋保持部は、前記筒部に沿って延伸し、端部が前記筒部の外側に向かって折れ曲がっている
請求項２に記載の掃除機。
【請求項４】
前記集塵ホルダおよび前記集塵袋保持部は、前記ケーシングに対して着脱可能である
請求項１〜３のいずれかに記載の掃除機。
【請求項５】
前記集塵部の内壁に複数の突起を有する
請求項１〜４のいずれかに記載の掃除機。
【発明の詳細な説明】
【技術分野】
【０００１】
本実施の形態は、掃除機に関する。
【背景技術】
【０００２】
一般的な掃除機は、本体ケーシング内に形成された集塵部の下流側にファンモータが配置される構造となっている。ファンモータを駆動すると、本体ケーシング内に負圧が発生し、その負圧によって塵埃が吸込まれ、集塵部に捕集される。捕集された塵埃は、集塵部に設けられた蓋を開閉して取り出し可能な構造となっている。
【０００３】
ハンドルを持って清掃や持ち運びを可能とする掃除機では、ハンドルとの干渉を避けるため、集塵部の位置が制約され、これに伴ってファンモータの位置も制約される。特許文献１には、ハンドルとの干渉を避けつつ蓋の開閉を可能とした位置に集塵部を形成した携帯型の掃除機が記載されている。
【先行技術文献】
【特許文献】
【０００４】
【特許文献１】特開２０００−１３９７８２号公報
【発明の概要】
【発明が解決しようとする課題】
【０００５】
従来の掃除機によると、空気圧によって集塵ホルダから集塵袋が外れてしまう不具合がある。
【０００６】
そこで、本実施の形態は、集塵袋外れを防止することが可能な掃除機を提供することを目的とする。
【課題を解決するための手段】
【０００７】
本実施の形態の一態様によれば、ケーシングと、前記ケーシングに設けられた吸引口と、前記ケーシング内に設けられたファンモータと、前記ケーシング内に設けられ、前記ファンモータと連通する集塵部と、前記集塵部に設けられる集塵ホルダと、前記集塵ホルダとの間で集塵袋を保持する集塵袋保持部と、前記集塵部の内側から内方に向かって突出するよう形成され、前記集塵袋保持部を抑え込む抑え部と、を備える掃除機が提供される。
【発明の効果】
【０００８】
本実施の形態によれば、集塵袋外れを防止することが可能な掃除機を提供することができる。
【図面の簡単な説明】
【０００９】
【図１】実施の形態に係る掃除機の外観図。
【図２】実施の形態に係る掃除機の断面図。
【図３】実施の形態に係る掃除機のケーブル取付構造の説明図。
【図４】実施の形態に係る掃除機の自立構造の説明図。
【図５】実施の形態に係る掃除機のケーブル収納構造の説明図。
【図６】実施の形態に係る掃除機の壁立て掛け保持構造の説明図。
【図７】実施の形態に係る掃除機の紙パックの取り付け方の説明図。
【図８】実施の形態に係る掃除機の紙パック取付構造の説明図。
【図９】実施の形態に係る掃除機が備える集塵部の内壁形状の説明図。
【図１０】実施の形態に係る掃除機のモータ支持構造の説明図。
【図１１】実施の形態に係る掃除機の排気方向規制構造の説明図。
【図１２】実施の形態に係る掃除機が備える吸引ヘッドの吸引口形状の説明図。
【発明を実施するための形態】
【００１０】
次に、図面を参照して、本発明の実施の形態を説明する。以下の図面の記載において、同一又は類似の部分には同一又は類似の符号を付している。ただし、図面は模式的なものであり、厚みと平面寸法との関係、各層の厚みの比率等は現実のものとは異なることに留意すべきである。したがって、具体的な厚みや寸法は以下の説明を参酌して判断すべきものである。又、図面相互間においても互いの寸法の関係や比率が異なる部分が含まれていることはもちろんである。
【００１１】
又、以下に示す実施の形態は、この発明の技術的思想を具体化するための装置や方法を例示するものであって、この発明の実施の形態は、構成部品の材質、形状、構造、配置等を下記のものに特定するものでない。この発明の実施の形態は、特許請求の範囲において、種々の変更を加えることができる。
【００１２】
［外観］
図１は、実施の形態に係る掃除機１の外観図であり、（ａ）は正面図、（ｂ）は左側面図、（ｃ）は背面図である。この掃除機１は、いわゆるスティック型（縦型）のスリムな電気掃除機である。使用者の手触りの感触の向上やデザイン性を考慮して外表面が全体的に曲面状に形成されている。
【００１３】
具体的には、図１に示すように、電動送風機を収容する略円筒状の本体２の開口部に細長い延長パイプ３を取り付け、その先端に比較的幅広タイプの吸引ヘッド４を回動自在に取り付けている。本体２から延長パイプ３を取り外せば、いわゆるハンディクリーナとして使用することもできる。ハンディクリーナとして使用する場合は、延長パイプ３に代えて、本体２の開口部にブラシＢを取り付けることも可能である。
【００１４】
使用時は、本体２から引き出された電源ケーブルＣ（一部のみ図示している。）を電源コンセントに接続する。このような有線ＡＣ電源タイプを採用すれば、掃除機１に充電池を搭載する必要がない。そのため、充電池を搭載するコードレスタイプの掃除機に比べてコンパクトで軽量でありながら強い吸引力を実現することができる。
【００１５】
以下、図１に示すように、吸引ヘッド４が存在している側を「前側」とし、本体２が存在している側を「後側」とする。図面に描かれた姿勢に合わせ、吸引ヘッド４が存在している側を「下側」と呼び、本体２が存在している側を「上側」と呼ぶ場合もある。「左右方向」は、掃除機１の使用者を基準にして考えるものとする。
【００１６】
［基本構成］
図２は、実施の形態に係る掃除機１の断面図である。図２に示すように、本体２は、左右半割り構造のケーシング２ａを備える。ケーシング２ａの外側に略Ｃ字状のハンドルＨが一体的に形成され、ケーシング２ａの内側にモータ室１０と集塵部２０が形成されている。
【００１７】
モータ室１０は、電動送風機であるファンモータ１１を内蔵している。ファンモータ１１は、吸引ファン１１ａとモータ１１ｂとを備える。吸引ファン１１ａは、中央より吸い込んだ空気を外周に向かって吹き出す遠心ファンである。ファンモータ１１の上下に設けられたゴムパッキン（弾性体）１２ａ，１２ｂでファンモータ１１を弾性支持しながら、モータ室１０から空気が漏れることを防止している。
【００１８】
集塵部２０は、吸引した塵埃を一時的に集塵する内部空間である。延長パイプ３の先端が吸引口２１に取り付けられ、吸引口２１の上方のゴムパッキン２２に紙パックホルダ２３の一端が当接している。この当接面は、側面視で斜めに形成されており、密着度を高めるようになっている。紙パックホルダ２３の他端は、図示しない紙パックＰによって閉塞される。紙パックＰは、不織布等を用いて形成された使い捨ての集塵袋である。集塵部２０の表側には蓋２４が形成されている。蓋２４を取り外すと、集塵部２０が外部空間に露出され、紙パックＰを交換することができる。
【００１９】
ハンドルＨは、ほぼ同じ太さの握り部Ｈ２を備えている。握り部Ｈ２の表側には、使用者が指先で操作する操作ボタンＨ１が設けられている。握り部Ｈ２の裏側に凸部または凹部を設けて使用者の指がかかるようにしておくと、使用者が持つ位置を一定の位置に誘導することが可能となり、操作ボタンＨ１を押すこともより容易になる。
【００２０】
［重心バランス適正化］
ここで、本実施の形態では、図２に示すように、ハンドルＨの後方寄りにファンモータ１１を配置し、ファンモータ１１と集塵部２０との間にダクト構成部材３０を設けている。集塵部２０、ダクト構成部材３０、及びファンモータ１１を本体２の長手方向に沿って直線状に配置し、ダクト構成部材３０によってファンモータ１１と集塵部２０とを連通させている。
【００２１】
スティック型の掃除機１は、本体２よりも前方部分が長い縦長の形状であるため、重量物であるファンモータ１１をハンドルＨの後方寄りに配置すると、ハンドルＨを持ったときの重心バランスを適正化することができる。すなわち、全体の重心が後方寄りになるため、実際の重量よりも軽く感じ、取り扱いが容易となる。
【００２２】
ダクト構成部材３０は、ダクト３１を構成する筒状の部材である。ダクト３１の一端３１ａは、集塵部２０の開口部２６に接続されている。ダクト３１の他端３１ｂは、ファンモータ１１を覆うカバー１３ａの下端に形成された吸込み口１３に接続されている。ダクト構成部材３０の形状については、後に詳しく説明する。
【００２３】
ダクト３１の径をファンモータ１１の吸込み口１３の径に合わせ、ダクト３１とケーシング２ａとの間に比較的広い空間３２を確保している。この空間３２には、電源ケーブルＣ等の各種ケーブルを引き回すことができる（後述する）。ダクト３１の長さは、重心バランスやハンドルＨの形状等に応じて適宜調整することが可能である。
【００２４】
ハンドルＨは、ケーシング２ａの外側に設けられる。ファンモータ１１よりも前方の位置においてハンドルＨの前端Ｈ３が接続され、ファンモータ１１よりも後方の位置においてハンドルＨの後端Ｈ４が接続されている。ハンドルＨの前端Ｈ３近傍を後端Ｈ４近傍よりも細くすれば、重心位置を後側にする効果がある。使用者が握り部Ｈ２を握ったときの重量バランスを整えるため、握り部Ｈ２を本体２側に向けて適当な角度で傾斜させている。
【００２５】
具体的には、ハンドルＨは、第１の延出部Ｈ１１と、把持部Ｈ２０と、第２の延出部Ｈ１２とを備えている。第１の延出部Ｈ１１は、ケーシング２ａの後部に基端が接続され、外方に向かって延びる部分である。把持部Ｈ２０は、第１の延出部Ｈ１１の先端に基端が接続され、基端より前方に延びつつケーシング２ａより漸次離間するように形成された部分である。第２の延出部Ｈ１２は、把持部Ｈ２０の先端に基端が接続され、基端より前方に延びつつケーシング２ａに漸次近接するように形成され、先端がケーシング２ａの外面に接続される部分である。
【００２６】
［動作］
使用者がハンドルＨの操作ボタンＨ１をスライド操作すると、モータ１１ｂが起動して吸引ファン１１ａが回転する。吸引ファン１１ａが回転すると、掃除機１の内部に負圧が発生し、吸引ヘッド４から延長パイプ３を通って本体２側に空気が流れ込み、集塵部２０の紙パックＰ（図９参照）によって空気中の塵埃が除去される。紙パックＰによって除去されなかった細かな塵埃は、集塵部２０の後方に設けられたスポンジフィルタ２５によって取り除かれる。綺麗になった空気は、ダクト３１を通ってモータ室１０に流れ込む。モータ室１０に流れ込んだ空気は、モータ室１０に形成された排気口（後述する。）から外部空間に排出されるようになっている。
【００２７】
以上のように、実施の形態に係る掃除機１は、ケーシング２ａと、ケーシング２ａに設けられた吸引口２１と、ケーシング２ａの外側に設けられたハンドルＨと、ケーシング２ａ内に設けられたファンモータ１１と、ケーシング２ａ内に設けられた筒状のダクト構成部材３０と、ケーシング２ａ内に設けられた集塵部２０とを備える。また、ケーシング２ａ内において集塵部２０、ダクト構成部材３０、及びファンモータ１１が順次並んで配置され、ダクト構成部材３０は、一端３１ａが集塵部２０の開口部２６に接続され、他端３１ｂがファンモータ１１の吸込み口１３に接続され、集塵部２０とファンモータ１１はダクト構成部材３０を介して連通されている。これにより、設計自由度の向上を図ることができるため、重心バランスを適正化して操作性の向上を図ることが可能になる。また、気密性を高めながらファンモータ１１と集塵部２０との距離を離すことができるため、吸引力の向上を図ることも可能である。
【００２８】
また、集塵部２０、ダクト構成部材３０、及びファンモータ１１は、吸引口２１の位置する側を前とした場合の前後方向に沿って配置されており、ハンドルＨは、少なくとも一部が前後方向に沿って延び、前端Ｈ３がファンモータ１１よりも前方の位置においてケーシング２ａの外面に接続され、後端Ｈ４がファンモータ１１よりも後方の位置においてケーシング２ａの外面に接続されている。これにより、ハンドルＨを備えるにもかかわらず、ハンドルＨと集塵部２０との干渉を避けることができるため、気密性を確保することが可能である。
【００２９】
また、ハンドルＨの前端Ｈ３は、後端Ｈ４よりも細く形成されている。これにより、重心位置を後側にする効果がある。
【００３０】
また、ファンモータ１１は、ハンドルＨの後方寄りに配置されている。これにより、全体の重心が後方寄りになるため、実際の重量よりも軽く感じ、取り扱いが容易となる。
【００３１】
また、ハンドルＨは、ケーシング２ａの後部に基端が接続され、外方に向かって延びる第１の延出部Ｈ１１と、第１の延出部Ｈ１１の先端に基端が接続され、基端より前方に延びつつケーシング２ａより漸次離間するように形成された把持部Ｈ２０と、把持部Ｈ２０の先端に基端が接続され、基端より前方に延びつつケーシング２ａに漸次近接するように形成され、先端がケーシング２ａの外面に接続される第２の延出部Ｈ１２とを備えている。これにより、重心位置を調整することが可能になるだけでなく、ハンドルＨを持ちやすくして操作性を向上させることも可能になる。
【００３２】
［ケーブル取付構造］
図３は、実施の形態に係る掃除機１のケーブル取付構造の説明図である。ここでは、左右半割り構造のケーシング２ａの片側を取り外した状態を示している。モータ室１０の幅はできるだけ細くするのが望ましいが、モータ室１０を細くすると、モータ室１０の内部でケーブルを引き回すための空間が制限される。
【００３３】
そこで、本実施の形態では、図３に示すように、ハンドルＨの内部とダクト３１の周辺の空間３２にケーブルを引き回している。具体的には、外部からの電力供給を受ける電源ケーブルＣが、ケーシング２ａの外側よりケーシング２ａとダクト構成部材３０との間の空間３２内に引き込まれている。また、電源ケーブルＣと電気的に接続された配線Ｃ１が、ハンドルＨの前端Ｈ３から後端Ｈ４にかけてハンドルＨの内部を通過してファンモータ１１に接続されている。
【００３４】
なお、ハンドルＨの内部やダクト３１の周辺の空間３２に引き回すケーブルの種類や数、引き回し方向は限定されるものではない。例えば、ファンモータ１１に設けられた温度ヒューズ（図示せず。）の配線がハンドルＨの内部を通って操作ボタンＨ１の端子に接続されてもよい。複数の配線を前方から後方に向かって又は後方から前方に向かって引き回すことが可能である。
【００３５】
以上のように、実施の形態に係る掃除機１は、外部からの電力供給を受ける電源ケーブルＣをさらに備え、電源ケーブルＣは、ケーシング２ａの外側よりケーシング２ａとダクト構成部材３０との間の空間３２内に引き込まれ、電源ケーブルＣと電気的に接続された配線Ｃ１が、ハンドルＨの前端Ｈ３から後端Ｈ４にかけてハンドルＨの内部を通過してファンモータ１１に接続される。これにより、ハンドルＨの内部を通ってファンモータ１１の前方から後方に配線Ｃ１を引き回すことができるため、ファンモータ１１の外周側に配線Ｃ１を配置しなくてよくなり、コンパクト化を図ることが可能になる。また、電源ケーブルＣを使用者側へ斜めに引き出すことができるため、操作性の向上を図ることも可能である。
【００３６】
［自立構造］
図４は、実施の形態に係る掃除機１の自立構造の説明図である。図４に示すように、ケーシング２ａは、ハンドルＨの後部近傍にファンモータ１１の回転軸１１Ｃと略直交する平坦面Ｆを有する。さらに、ハンドルＨの後端Ｈ４が平坦面Ｆと連続した面を有してもよい。このようにすれば、掃除機１の上下を逆にして床１００に自立させることができる。平坦面Ｆは、重量物であるファンモータ１１の回転軸１１Ｃと略直交するため、安定して自立させることが可能である。また、重量物であるファンモータ１１を後方寄りに配置しているため、より安定して自立させることが可能である。さらに、電源ケーブルＣをケーシング２ａの側方より引き出しているため、自立状態において電源ケーブルＣが邪魔にならない。
【００３７】
以上のように、実施の形態に係る掃除機１が備えるケーシング２ａは、ハンドルＨの後部近傍にファンモータ１１の回転軸１１Ｃと略直交する平坦面Ｆを有する。これにより、掃除機１の上下を逆にして床１００に自立させることができるため、清掃作業の効率化を図ることが可能になるとともに、収納時のスペース削減を図ることが可能になる。
【００３８】
［ケーブル収納構造］
図５は、実施の形態に係る掃除機１のケーブル収納構造の説明図である。図５（ａ）では、説明を分かりやすくするため、電源ケーブルＣを省略している。
【００３９】
図５（ａ）に示すように、ケーシング２ａの側方に一対のケーブル巻付用フック４１，４２が設けられている。後方のケーブル巻付用フック４１は、略Ｌ字状の回転自在フックである。前方のケーブル巻付用フック４２は、略Ｌ字状の固定フックである。また、一対のケーブル巻付用フック４１，４２間にＣ字状のケーブル端保持用フック４３が設けられている。
【００４０】
図５（ｂ）に示すように、収納時は、ケーシング２ａの側方より引き出された電源ケーブルＣを一対のケーブル巻付用フック４１，４２間に巻き付ける。電源ケーブルＣの基端部がケーブル巻付用フック４１側に傾斜しているため、無理なく電源ケーブルＣを巻き付けることができる。また、ケーブル巻付用フック４１の上方のケーシング２ａには内側に傾斜する傾斜部２ｂが形成され、さらに、ケーブル巻付用フック４２の周囲のケーシング２ａには窪み２ｃが形成されているため、容易に電源ケーブルＣを巻き付けることができる。電源ケーブルＣの自由端部には電源プラグＣ２が形成されているため、その電源プラグＣ２の付近をケーブル端保持用フック４３に引っ掛ける。ケーブル端保持用フック４３は、電源ケーブルＣの引き出し位置Ｃ３よりも前方に設けられているため、引き出し位置Ｃ３の電源ケーブルＣが邪魔にならない配置になっている。この状態でケーブル巻付用フック４１を回転させれば、電源ケーブルＣを束で解除することができる。
【００４１】
以上のように、実施の形態に係る掃除機１は、一対のケーブル巻付用フック４１，４２を備えるとともに、その一対のケーブル巻付用フック４１，４２間にケーブル端を保持するためのケーブル端保持用フック４３を備える。これにより、掃除機１を自立させて収納する場合でも、電源プラグＣ２付近をケーブル端保持用フック４３で保持することができるため、収納時の見栄えを良くすることが可能になる。
【００４２】
［壁立て掛け保持構造］
図６は、実施の形態に係る掃除機１の壁立て掛け保持構造の説明図である。図６に示すように、ケーブル巻付用フック４１の内部に永久磁石４１ａを設け、壁２００側の金属プレート２０１に吸着させるようにしている。金属プレート２０１は、金属製の壁置き部品であり、掃除機１の付属品として提供されてもよい。壁２００に両面テープやネジ等で金属プレート２０１を固定しておけば、掃除機１の吸引ヘッド４を床に置いた状態で本体２を壁２００に沿うように立て掛けることができる。
【００４３】
以上のように、実施の形態に係る掃除機１では、ケーブル巻付用フック４１の内部に永久磁石４１ａを設け、壁２００側の金属プレート２０１に吸着させるようにしている。これにより、ケーブル巻付用フック４１と壁保持吸着部とを兼用することができるため、部品点数が減り、低コスト化を図ることが可能になる。
【００４４】
［紙パック取付構造］
図７は、実施の形態に係る掃除機１の紙パックホルダ２３に紙パックＰを取り付ける様子を示す図である。図７に示すように、紙パックホルダ２３は、板状部２３ａから突出する筒部２３ｂを備えている。板状部２３ａと筒部２３ｂの中央部には一体的に貫通孔２３ｃが形成されていている。この貫通孔２３ｃは、延長パイプ３の内部空間を通過した空気を集塵部２０に流通させる流路となる。空気が流出する側から筒部２３ｂを覆うように紙パックＰを取り付け、筒部２３ｂの付け根に設けられた紙パック取付用クリップ２３ｄで紙パックＰを挟み込む。紙パックＰを挟み込みやすくするために、紙パック取付用クリップ２３ｄの先端は外側に折れ曲がっている。紙パック取付用クリップ２３ｄで紙パックＰを挟み込んだら、紙パックホルダ２３ごと集塵部２０にセットする。紙パックホルダ２３を通って紙パックＰの内部に流入した空気中の塵埃は、紙パックＰの外部に流れることができず、紙パックＰの内部に集められる。
【００４５】
紙パックホルダ２３の先端には、空気の吸い込み方向にのみ開口可能な逆止弁２３ｅを設けてもよい。例えば、ゴム製の逆止弁２３ｅに貫通孔２３ｆを形成し、この貫通孔２３ｆとワッシャ２３ｇを介してネジ２３ｈを紙パックホルダ２３側のネジ孔２３ｉに止める。掃除機１の内部に負圧が発生していない状態では、紙パックホルダ２３の先端に逆止弁２３ｅが当接するようになっている。これにより、紙パックＰの内部に集められた塵埃が紙パックホルダ２３側に逆戻りしない構造となっている。
【００４６】
図８は、実施の形態に係る掃除機１の紙パック取付構造の説明図である。ここでは、集塵部２０を見開きの状態で示している。左右半割り構造のケーシング２ａ内から紙パックホルダ２３を取り外し、集塵部２０の蓋２４も取り外している。図面上、一番上のケーシング２ａと一番下の蓋２４は、内部の構造が見えやすく向きに回転させて描いている。ケーシング２ａ側の溝部２７に蓋２４側のフック２８を引っ掛かけると、集塵部２０の蓋２４を閉めることができる。
【００４７】
ここで、本実施の形態では、図８に示すように、紙パックホルダ２３を通って流入する空気の空気圧によって紙パックホルダ２３から紙パックＰが外れてしまう不具合を防止する構造を採用している。具体的には、紙パック取付用クリップ２３ｄの先端近傍を抑え込むクリップ抑え用リブ２９ａ，２９ｂ，２９ｃを集塵部２０の内側に形成している。クリップ抑え用リブ２９ａ，２９ｂ，２９ｃは、本体２の長手方向から見ると、略扇形に形成されている。集塵部２０の蓋２４を閉めたとき、クリップ抑え用リブ２９ａ，２９ｂ，２９ｃの内側の縁部Ｅ１，Ｅ２，Ｅ３が紙パック取付用クリップ２３ｄの先端近傍を抑え込むようになっている。
【００４８】
以上のように、実施の形態に係る掃除機１では、紙パック取付用クリップ２３ｄの先端近傍を抑え込むクリップ抑え用リブ２９ａ，２９ｂ，２９ｃを集塵部２０の内側に形成している。これにより、紙パック取付用クリップ２３ｄの保持力を高めることができるため、強吸引力による紙パック外れを防止することが可能になる。
【００４９】
［集塵部の内壁形状］
図９は、実施の形態に係る掃除機１が備える集塵部２０の内壁形状の説明図である。この掃除機１は、スリムなスティック型でありながら、有線ＡＣ電源タイプであるため強い吸引力を実現する。そのため、紙パックＰに塵埃が溜まった状態で空気を吸込んだとき、ケーシング２ａの内壁に密着するまで紙パックＰが膨らんでしまい、吸引力が低下する可能性がある。
【００５０】
そこで、本実施の形態では、図９（ａ）に示すように、集塵部２０の内壁に複数の突起Ｔを形成している。ここでは、左右半割り構造のケーシング２ａの片側だけを例示しているが、もう片側にも同様の突起Ｔが形成されている。突起Ｔの数や形状は特に限定されるものではない。例えば、図９（ｂ）の拡大図に示すように、ダクト構成部材３０の近傍において、空気の流路に沿うように９個の突起Ｔ１〜Ｔ９を形成してもよい。このようにすれば、ファンモータ１１への空気の流路を効果的に確保することができる。
【００５１】
以上のように、実施の形態に係る掃除機１では、集塵部２０の内壁に複数の突起Ｔを形成している。これにより、集塵部２０の内壁と紙パックＰとの間に隙間を確保することができる。その結果、吸引力の低下を抑制することが可能になり、ファンモータ１１の温度上昇を抑制することが可能になる。
【００５２】
［モータ支持構造］
図１０は、実施の形態に係る掃除機１のモータ支持構造の説明図である。図１０（ａ）は、左右半割り構造のケーシング２ａの片側を取り外した状態を示し、図１０（ｂ）は、さらにその内部の部材を取り外した状態を示している。図１０（ｃ）は、図１０（ａ）（ｂ）に示されるダクト構成部材３０の側面図である。
【００５３】
図１０に示すように、ダクト構成部材３０は、管部３４ａの両端につば部３４ｂ，３４ｃを備える。上側のつば部３４ｂは、上方に開口した凹部３４ｆを備え、凹部３４ｆの底には、ダクト３１に通じる開口３４ｇが形成されている。また、下側のつば部３４ｃの下面には、スポンジフィルタ２５に当接するフィン３４ｘが外方に向けて放射状に配設されている。さらに、上側のつば部３４ｂの下方には、外方に張り出す円板環状の位置決め用つば３４ｄが形成され、下側のつば部３４ｄの上方にも、同様の位置決め用つば３４ｅが形成されている。
【００５４】
既に説明したように、ファンモータ１１の上下に設けられたゴムパッキン１２ａ，１２ｂでファンモータ１１を弾性支持しながら、モータ室１０から空気が漏れることを防止している。具体的には、上側のゴムパッキン１２ａの突起Ｋ１を左右方向から規制する回転規制リブＷ１がケーシング２ａ内に形成されている。ゴムパッキン１２ａの突起Ｋ１をファンモータ１１の上面の凹部Ｋ２に嵌め込み、また、下側のゴムパッキン１２ｂをファンモータ１１の下端に密着させてダクト構成部材３０の凹部３４ｆに嵌め込む。下側のゴムパッキン１２ｂは、開口１２ｃを有するリング状のゴムパッキンである。この開口１２ｃの内径は、ファンモータ１１を覆うカバー１３ａの外周サイズに合わせ、下方に向けて小さくなるテーパ状に形成されている（図２参照）。これにより、ゴムパッキン１２ｂとファンモータ１１とを隙間なく密着させ、ファンモータ１１をダクト構成部材３０に対してセンタリングさせることができる。ダクト構成部材３０のつば部３４ｂと位置決め用つば３４ｄとの間にケーシング２ａの内壁Ｗ２が入り、また、ダクト構成部材３０のつば部３４ｃと位置決め用つば３４ｅとの間にケーシング２ａの内壁Ｗ３が入る。さらに、ケーシング２ａの内壁Ｗ３とＷ４との間にスポンジフィルタ２５が入るようになっている。
【００５５】
以上のように、実施の形態に係る掃除機１では、ファンモータ１１の上下に設けられたゴムパッキン１２ａ，１２ｂでファンモータ１１を挟持している。これにより、ファンモータ１１の前後方向及び半径方向に対してファンモータ１１を弾性支持することが可能になる。
【００５６】
また、実施の形態に係る掃除機１では、ファンモータ１１の上側のゴムパッキン１２ａをケーシング２ａ内に固定している。これにより、ファンモータ１１の回転方向に対してもファンモータ１１を弾性支持することが可能になる。
【００５７】
［排気方向規制構造］
図１１は、実施の形態に係る掃除機１の排気方向規制構造の説明図であり、（ａ）は斜視図、（ｂ）は断面図である。図１１に示すように、モータ室１０は、外部空間に空気を排出するスリット状の排気口５１を備えている。排気口５１からの排気がハンドルＨを握っている使用者に向かって噴き出されると不快である。そこで、斜め後方に向かって延びる排気方向規制リブ５２を各排気口５１の内側に形成している。このようにすれば、各排気口５１からの排気Ｅが前方に向かって噴き出されることになる。もちろん、排気方向は、排気方向規制リブ５２の形状により適宜調整することが可能である。
【００５８】
以上のように、実施の形態に係る掃除機１では、斜め後方に向かって延びる排気方向規制リブ５２を各排気口５１の内側に形成している。これにより、各排気口５１からの排気Ｅが前方に向かって噴き出されるため、使用者の快適性の向上を図ることが可能になる。
【００５９】
［吸引ヘッドの吸引口形状］
図１２は、実施の形態に係る掃除機１が備える吸引ヘッド４の吸引口形状の説明図である。吸引ヘッド４は、旋回気流を起こして吸引力をアップさせるサイクロンヘッドである。すなわち、吸引ヘッド４の長手方向を回転軸とする渦巻き状の気流を発生させ、発生させた気流によって床に散らばる塵埃をかき出す。吸引ヘッド４の下面には、被清掃面から塵埃を吸込むための吸引口６１が設けられている。前方の塵埃を吸込みやすくするために、吸引口６１の前端６３に窪み６３ａを設けている。また、壁際の塵埃を吸込みやすくするために、吸引ヘッド４の両側の端部６２まで吸引口６１を延設している。
【００６０】
以上のように、実施の形態に係る掃除機１では、吸引ヘッド４の吸引口６１の前端６３に窪み６３ａを設けている。これにより、クリップ等のある程度の厚みがあるものであっても、この窪み６３ａによる隙間を通じて吸い込むことができるため、吸込み性能の向上を図ることが可能になる。
【００６１】
上記の説明では特に言及しなかったが、一般的な掃除機１が備える各種の保護機能を備えていてもよいことはもちろんである。例えば、ファンモータ１１の近傍にはバイメタルが設けられ、異常発熱した際には完全に運転が停止するようになっている。
【００６２】
［その他の実施の形態］
上記のように、実施の形態によって記載したが、この開示の一部をなす論述および図面はこの発明を限定するものであると理解すべきではない。この開示から当業者には様々な代替実施の形態、実施例および運用技術が明らかとなろう。
【００６３】
このように、本発明はここでは記載していない様々な実施の形態等を含むことは勿論である。したがって、本発明の技術的範囲は上記の説明から妥当な特許請求の範囲に係る発明特定事項によってのみ定められるものである。
【００６４】
なお、従来の掃除機によると、ハンドルとファンモータとの相対位置関係によっては適正な重心バランスを得ることができず、清掃や持ち運び時の取り扱いが困難になる。例えば、特許文献１に記載の掃除機によると、集塵部の後方にファンモータが直結されているため、ハンドルの真下にファンモータが配置され、全体の重心が前方寄りになってしまう。そのため、清掃や持ち運び時に実際の重量以上の重さを感じ、取り扱いが困難となる。
【００６５】
そこで、本実施の形態は、重心バランスを適正化して操作性の向上を図ることが可能な掃除機を提供することを目的とする。
【００６６】
本実施の形態の一態様によれば、ケーシングと、前記ケーシングの外側に設けられたハンドルと、前記ケーシング内に設けられたファンモータと、前記ケーシング内に設けられた筒状のダクト構成部材と、前記ケーシング内に形成された集塵部と、を備え、前記集塵部、前記ダクト構成部材、及び前記ファンモータが順次並んで配置され、前記ダクト構成部材は、一端が前記集塵部の開口部に接続され、他端が前記ファンモータの吸込み口に接続され、前記集塵部と前記ファンモータとを連通させる掃除機が提供される。
【００６７】
本実施の形態によれば、重心バランスを適正化して操作性の向上を図ることが可能な掃除機を提供することができる。
【産業上の利用可能性】
【００６８】
本実施の形態に係る掃除機は、電気掃除機全般に利用することができる。特に、重心バランスを適正化して操作性の向上を図ることが必要なスティック型の電気掃除機に利用すると効果的である。
【符号の説明】
【００６９】
１…掃除機
２ａ…ケーシング
１１…ファンモータ
１３…ファンモータの吸込み口
２０…集塵部
２６…集塵部の開口部
３０…ダクト構成部材
３１ａ…ダクト構成部材の一端
３１ｂ…ダクト構成部材の他端
Ｈ…ハンドル
Ｈ３…ハンドルの前端
Ｈ４…ハンドルの後端
Ｈ１１…第１の延出部
Ｈ１２…第２の延出部
Ｈ２０…把持部
【図１】
2019088947.tif 000003
【図２】
2019088947.tif 000004
【図３】
2019088947.tif 000005
【図４】
2019088947.tif 000006
【図５】
2019088947.tif 000007
【図６】
2019088947.tif 000008
【図７】
2019088947.tif 000009
【図８】
2019088947.tif 000010
【図９】
2019088947.tif 000011
【図１０】
2019088947.tif 000012
【図１１】
2019088947.tif 000013
【図１２】
2019088947.tif 000014